Podtech/llm-jp-corpus-v4-ja_patent huggingface dataset:
(57)【要約】      （修正有）【課題】加熱による減菌処理の際の加熱温度及び加熱時間を効率的に確認することができる減菌処理用の示温カードを提供する。【解決手段】カード状をなした基材の表裏に、化学物質や石油系ワックスの熱融解作用を利用し、予め設定された加熱温度及び加熱時間に反応して不可逆的な変化を行う、同じ特性の感温体をそれぞれ形成して滅菌処理用の示温カードを構成した。【選択図】図４
0003145790.tif 000002
【実用新案登録請求の範囲】
【請求項１】
カード状をなした基材の表裏に、化学物質や石油系ワックスの熱融解作用を利用し、予め設定された加熱温度及び加熱時間に反応して不可逆的な変化を行う、同じ特性の感温体をそれぞれ形成したことを特徴とする滅菌処理用の示温カード。
【考案の詳細な説明】
【技術分野】
【０００１】
この考案は、滅菌処理用の示温カード、詳しくは、加熱による滅菌処理の際の加熱温度及び加熱時間を効率的に確認することが出来る様にした滅菌処理用の示温カードに関するものである。
【背景技術】
【０００２】
医療機関、検査機関、食品工場などでは、各種機器、器材、用具等を加熱によって滅菌処理する場合があり、多くの場合は、滅菌処理の対象物を耐熱性を有する透明な袋へ封入し、この袋をオートクレーブなどの加熱装置内に入れ、同装置内において滅菌条件に応じた温度を一定時間加えて滅菌処理することが行われている。
【０００３】
この場合、滅菌処理の対象物を封入した袋に、加熱温度及び加熱時間に反応して色調変化や発色によりその事実を不可逆的に表示する示温カードを入れておき、加熱装置内において加熱作業が終了した後、この示温カードの表示の変化を外側から袋を通して見ることによって、確実に滅菌が行われたかを確認することが行われている。
【特許文献１】なし
【非特許文献１】なし
【考案の開示】
【考案が解決しようとする課題】
【０００４】
従来において、この滅菌処理の際に用いる示温カードは、カード状をなした基材の一方の面に、各種化学物質の熱融解作用を利用して加熱温度及び加熱時間を色調変化や発色によって不可逆的に表示する感温体を形成したものであった。
【０００５】
この従来の示温カードを滅菌処理の際の加熱温度の確認に用いる場合は、感温体が形成されている側の面が必ず外側即ち、袋を通して外部から視認出来る向きにして袋へ封入しなければならず、こうしなければ加熱処理後に袋を通して感温体の変化を外部からすぐに確認することが出来ないのは言うまでもない。
【０００６】
しかしながら、示温カードの袋への封入作業は、大量の処理対象物に対して、短時間で流れ作業的に行われることが多く、作業員が示温カードの向きにまで常に注意を払うことは実際上なかなかむずかしく、何枚かに一枚は裏側にして袋へ封入してしまう場合もあり、この場合には、袋を開封して示温カードを反転させてから加熱処理後の加熱温度及び加熱時間の確認を行わねばならず、一瞥しただけで加熱温度及び加熱時間の確認が出来るという、示温カードの長所を著しく阻害することになることは明らかである。
【０００７】
本考案者は、加熱による滅菌処理作業における上記問題点を解決すべく研究を行った結果、滅菌処理作業の能率を向上させることが出来る便利な滅菌処理用の示温カードを開発することに成功し、本考案としてここに提案するものである。
【課題を解決するための手段】
【０００８】
カード状をなした基材１の表裏に、化学物質や石油系ワックスの熱融解作用を利用し、予め設定された加熱温度及び加熱時間に反応して不可逆的な変化を行う、同じ特性の感温体２をそれぞれ形成して滅菌処理用の示温カードを構成することにより、上記課題を解決した。
【実施例１】
【０００９】
図１はこの考案に係る滅菌処理用の示温カードの実施例１の表面側から見た斜視図、図２はその裏面側から見た斜視図である。
【００１０】
図中１は、カード状をなした基材であり、滅菌処理の際の加熱によって変質したり、有害物質を発生したりしない、高質紙などの素材が用いられる。そして、この基材１の表裏両面には、化学物質や石油系ワックスの熱融解作用を利用して予め設定された温度及び加熱時間に反応して、発色や色調変化によって、その事実を不可逆的に表示する同じ特性の感温体２がそれぞれ形成されており、その表面は透明フィルムによって被覆されている。つまり、基材１の表裏には、全く同じ設定温度及び加熱時間で同じ反応を行う感温体２が形成されているのである。なお、この感温体２自体は、従来から使用されているものと全く同じであるが、石油系ワックスを素材とするものは、毒性がなく無害であるので高温加熱下においてもより安全に使用出来る。この実施例は上記の通りの構成を有するものであり、図４に示す様に、袋３に滅菌処理すべき対象物４を収容した後、袋３の内側面と対象物４の間にこの示温カードを差し込み、感温体２が外側から透けて見える状態にして袋３を封止した後、オートクレーブ等の加熱装置内に入れ、この中で所定の温度を所定の時間加えて滅菌処理を行う。なお、示温カードを袋３へ入れる際、その向きは表裏いずれの向きであっても良い。そして、あらかじめ設定された温度であらかじめ設定された時間が経過したときは、袋３内に入れられているこの示温カードの感温体２はそれに反応し、図３に示す様に、発色や色調変化によって、その事実を不可逆的に表示する。この反応は基材１の表裏いずれかの感温体２においても起こるので、オートクレーブ等の加熱装置から袋３を出した後、袋３の外側から示温カードの感温体２の変化の状況を一瞥すれば、示温カードが表裏いずれの向きであっても、所定の温度で所定の時間加熱され、滅菌処理が正しく行われたかを確認することが出来る。
【００１１】
従って、本考案に係る示温カードにおいては、加熱による滅菌処理を行うに先立ち、袋３へ示温カードを入れる際に、従来のものの様にその表裏の向きを全く気にする必要がなく、表裏いずれの向きで袋３に入れても良いので、示温カードの袋３への挿入作業が極めて容易で、加熱による滅菌処理作業の効率化を図ることが出来る効果を有し、高い実用性を持つ。
【産業上の利用可能性】
【００１２】
医療、食品産業、検査等の分野において利用可能である。
【図面の簡単な説明】
【００１３】
【図１】この考案に係る滅菌処理用の示温カードの実施例１の表側から見た斜視図。
【図２】同じく、その裏側から見た斜視図。
【図３】同じく、感温体２が反応し、発色した状況を示した斜視図。
【図４】滅菌処理の対象物を収容した袋へこの考案に係る示温カードを挿入した状態の斜視図。
【符号の説明】
【００１４】
１    基材
２    感温体
３    袋
４    対象物
【図１】
0003145790.tif 000003
【図２】
0003145790.tif 000004
【図３】
0003145790.tif 000005
【図４】
0003145790.tif 000006
(57)【要約】      （修正有）【課題】家庭で糠漬を行う際、糠床内に漬けてある食材が何で、どこに入っているかを知り、最もよい食べ頃に取り出せるようにするための糠漬用名札を提供する。【解決手段】冷蔵庫の野菜室などの一定温度を保つ場所に糠床を置き、その温度での食材別の最適時間は予め学習しておき、食材の一品ごとにホワイトボードマーカー等で食材名と予想賞味時期を記入した迷子札の繋止用のステンレスワイヤーの先端部を食材に差込装着して漬込み、迷子札は糠床面に書き込みを上にして載置しておく、予めセットしておいたアラームが鳴った時に、糠床に手を入れずに誰でも取り出すことができるようにした。【選択図】図５
0003145782.tif 000002
【実用新案登録請求の範囲】
【請求項１】
糠漬において、漬込食材名、賞味時期等が表示、消去可能な硬質プラスチック薄板小片に太さ０．８粍長さ６糎位のステンレス製繋止線を装着した繰り返し使用可能な糠漬用表示具。
【考案の詳細な説明】
【技術分野】
【０００１】  本考案は家庭で糠漬を行う際、糠床内に漬けてある食材が何で、何処に入っているかを知り、最もよい食べ頃に取り出せる方法に関する。
【背景技術】
【０００２】  糠漬は糠床内に生成した植物性乳酸菌が乳酸を作り、これらが食材に作用して独特の風味を醸成するが、同時に生成する酵母や、微生物の種類や量によって香りなどは微妙に違いがある。一般に漬け足りなければ酸味、塩味、風味等は足らず生食に近い味で、漬け過ぎると酸味や塩味は強くなり過ぎ、胡瓜や茄子などは色も冴えなくなる。【０００３】  通常、一般家庭で糠漬を漬ける場合同じ容器に二、三種類の食材を同時に漬け込むことが多いが、最もおいしく食べられる漬け置き時間は食材によって異なり、最も早く食べ頃になるものと、最も遅い物では２倍以上の時間差がある。又糠床を置いてある場所の温度によっても非常に差があり、糠漬経験の永いベテラン主婦は、これらのことを熟知していて、幾種類もの食材を同時に漬けても、夫々的確な食べ頃の糠漬を食卓に提供できるが、初めて糠漬に挑戦する人は、前述のことを学習した上で糠漬を初めても、おいしい糠漬を食卓に乗せることは難しく、多くの人は取り出し時期を忘れ、漬け過ぎて酸っぱくなる失敗を重ねることが多く、度重なると家庭での糠漬を諦める人が多い。
【考案の開示】
【考案が解決しようとする課題】
【０００４】  上述の様に糠漬をおいしく作るには、糠床の管理の方法、食材別の漬け込み時間の長短などを学んでから糠漬を初めても、糠床に埋もれている食材は、何が、何処に在るのか、又、食べ頃はいつかなど、記憶や記帳に頼るしかなく、これを怠ると、一品ずつ取りだして、漬かり具合を外観から察したり、一部を切り取って味みをすることになり、非常に多くの気配りをしないと、おいしい糠漬を家族に提供することはできない。本考案では簡便な方法で、糠床内の食材の一品ごとに、食材名と賞味時期を表示することを課題とする。【０００５】  更に、糠床には特有の糠味噌臭があり、又、油脂分も多いので糠床内に手を入れて取り出すと、洗剤等で洗っても容易には臭いは抜けないので、若い主婦などには嫌がられるから、糠床に手を入れずに取り出せることは望ましい。
【課題を解決するための手段】
【０００６】  漬込材料の一品ごとに食材名と予想される賞味時期とを記入した札をステンレスワイヤー等で取り付けておき、最短の賞味時期に携帯電話、目覚まし時計等のアラームが鳴るようにしておけば課題を解決することができる。
【考案の効果】
【０００７】  上述の考案は、糠漬の食材の一品ごとに食材名と賞味時期を書き込んだ名札が糠床の上に置かれ、名札と食材とはステンレスワイヤーで連繋されるので、名札を見て食材を引き上げれば良いのであるから、漬け込んだ本人は勿論、本人でなくても在宅の人は誰でも賞味時期の糠漬を取り出すことが可能となる。
【考案を実施するための最良の形態】
【０００８】  太さ０．８粍位、長さ７糎位の直線上の１８−８ステンレス線の一端を外径が２．５粍位螺旋状に一回くらい巻いた繋止線を、螺旋状部位が包含されるように、熱可塑性硬質プラスチック製名札を射出成型法によって製作する。該名札はホワイトボードマーカー等によって書き込み、消去が可能な素材とする。
【実施例】
【０００９】  以下添付図に従って実施例を説明する。２は耐久性を有する硬質プラスチック板で、幅１．５糎長さ８糎位の平板小片にして、一端に繋止線１が装着されている。繋止線１は嵩張らないように図３、図４のように直線形で販売されるが、購入者は図５のように指先で曲げて使用に適するようにする。
【使用法】
【００１０】  これを使用するに先立って教本や添付の説明書等によって大凡の温度下における各食材の賞味できる漬込み時間を調べておき、名札に、添付のホワイトボードマーカーによって漬込む食材名と、計算で予測される賞味時期とを記入し、食材３に繋止線１の先端を差し込み、名札２は糠床の表面に文字が見えるように載せて置く。アラームとしては、携帯電話、目覚まし時計等を利用すれば良い。
【００１１】  次回漬け込むときは既に書いてある文字は擦って消すことができるので、消した後書き換えればよい。
【図面の簡単な説明】
【００１２】
【図１】  本考案糠漬用名札の繋止線の射出成型前の正面図
【図２】  本考案糠漬用名札の繋止線の射出成型前の側面図
【図３】  本考案糠漬用名札の射出成型後の正面図
【図４】  本考案糠漬用名札の射出成型後の平面図
【図５】  本考案糠漬用名札の使用時の正面透視図
【図６】  本考案糠漬用名札の使用時の平面透視図
【符号の説明】
【００１３】１          名札
２          繋止線
３          食材
４          糠床の表面
【図１】
0003145782.tif 000003
【図２】
0003145782.tif 000004
【図３】
0003145782.tif 000005
【図４】
0003145782.tif 000006
【図５】
0003145782.tif 000007
【図６】
0003145782.tif 000008
(57)【要約】      （修正有）【課題】携帯電話機へのストラップの取り付けが容易にできるようにしたストラップ取り付け用ガイド具を提供する。【解決手段】携帯電話機用ストラップが離脱可能に係止される係止部４を備える扁平棒状片よりなり、その係止部４に携帯電話機用ストラップが係止された状態において携帯電話機のストラップ取り付け孔に挿通され、携帯電話機用ストラップをストラップ取り付け孔に挿通するように用いられるストラップ取り付け用ガイド具である。【選択図】図１
0003145781.tif 000002
【実用新案登録請求の範囲】
【請求項１】
携帯電話機用ストラップが離脱可能に係止される係止部を備える扁平棒状片よりなり、
その係止部に携帯電話機用ストラップが係止された状態において携帯電話機のストラップ取り付け孔に挿通され、携帯電話機用ストラップをストラップ取り付け孔に挿通するように用いられるストラップ取り付け用ガイド具。
【考案の詳細な説明】
【技術分野】
【０００１】  この考案は、携帯電話機にストラップを取り付ける際に用いるストラップ取り付け用ガイド具に関する。
【背景技術】
【０００２】  携帯電話機にはストラップが取り付け使用され、そのストラップの取り付けは、携帯電話機の一部に設けられたストラップ取り付け孔に２，本を一体としたストラップを挿通することにより行っている。
【考案の開示】
【考案が解決しようとする課題】
【０００３】  上記携帯電話機におけるストラップ取り付け孔は、通常その部分が携帯電話機の表面から突出することがないように設けられている（図２参照）ので、ストラップをその取り付け孔へ挿通して取り付けるのには結構手間がかかった。また、最近では、１台の携帯電話機に複数のストラップを取り付ける場合があり、既にストラップが挿通されている取り付け孔に新たなストラップを通すのはさらに手間がかかった。【０００４】  この考案は、携帯電話機へのストラップの取り付けが容易にできるようにすることを目的とする。
【課題を解決するための手段】
【０００５】  この考案では、携帯電話機用ストラップが離脱可能に係止される係止部を備える扁平棒状片よりなり、その係止部に携帯電話機用ストラップが係止された状態において携帯電話機のストラップ取り付け孔に挿通され、携帯電話機用ストラップをストラップ取り付け孔に挿通するように用いられるストラップ取り付け用ガイド具を提供する。【０００６】  上記構成のストラップ取り付け用ガイド具の係止部に携帯電話機用ストラップを係止してストラップ取り付け孔に挿通し、携帯電話機用ストラップも挿通させた後取り外すことでストラップをストラップ取り付け孔に挿通取り付けすることができる。この考案のストラップ取り付け用ガイド具は携帯電話機用ストラップとともに販売提供されることで便利に用いられる。
【考案の効果】
【０００７】  この考案によれば、携帯電話機へのストラップの取り付けが容易にできるようになる。
【考案を実施するための最良の形態】
【０００８】  図１はこの考案のストラップ取り付け用ガイド具の斜視図である。ストラップ取り付け用ガイド具１は扁平棒状のプラスチックス片よりなり、先端２が若干尖って形成される前側部３と、ストラップの係止部４が設けられた後側部５とからなる。係止部４は側開放部７とそれに連続する切り欠き溝部８とからなる。ストラップ取り付け用ガイド具１は、例えば、ポリエチレンテレフタレート樹脂よりなり、若干の剛性とフレキシブル性を備えている。【０００９】  図２を参照して上記ストラップ取り付け用ガイド具１の使用方法について説明する。まず、携帯電話機用ストラップＳの端部を側開放部７を通して係止部４内に導入し、ストラップ取り付け用ガイド具１に携帯電話機用ストラップＳを一体に係止する。携帯電話機Ｋにはその裏面側の上部にストラップ取り付け孔１０が設けられている。ストラップ取り付け孔１０はその部分が突出することがないように携帯電話機Ｋの上角部に設けられている。【００１０】  上記のように携帯電話機用ストラップＳを係止したストラップ取り付け用ガイド具１の先端２を、上面開口１０ａから挿し入れストラップ取り付け孔１０を通して側面開口１０ｂから突出させ、さらに、その前側部３を持ってストラップ取り付け用ガイド具１を携帯電話機用ストラップＳとともに側面開口１０ｂから引き出す。携帯電話機用ストラップＳを十分に引きき出した状態においてストラップ取り付け用ガイド具１を取り外し廃棄する。これにより、携帯電話機用ストラップＳがストラップ取り付け孔１０に挿通された状態に取り付けられる。【００１１】  上記のストラップ取り付け孔１０への挿入に際しては、ストラップ取り付け用ガイド具１は、扁平棒状で、かつ、若干の剛性とフレキシブル性とを備えていることでその形態をストラップ取り付け孔１０の内部形態に沿うように湾曲変異しながら移動し、これによりストラップ取り付け用ガイド具１はストラップ取り付け孔１０内をスムーズに通過する。通過をさらにスムーズにするため予めストラップ取り付け用ガイド具１の全体を若干湾曲させておいてもよい。
【図面の簡単な説明】
【００１２】
【図１】この考案のストラップ取り付け用ガイド具の外観斜視図
【図２】この考案のストラップ取り付け用ガイド具の使用状態斜視図
【符号の説明】
【００１３】  １    ストラップ取り付け用ガイド具
４    係止部
１０  ストラップ取り付け孔
Ｋ    携帯電話機
Ｓ    携帯電話機用ストラップ
【図１】
0003145781.tif 000003
【図２】
0003145781.tif 000004
(57)【要約】      （修正有）【課題】軽量で強度を持ったロッキングチェアを提供する。【解決手段】上部に背柱を連接した前支脚４を後方向に斜設し、後支脚５を背柱に斜設連接し、左右の前支脚と後支脚間の下端にロッカーを架設するとともに、座板１を左右の前支脚間に架設した前貫７と左右の後支脚間に架設した後貫８に固設している。【選択図】図１
0003145765.tif 000002
【実用新案登録請求の範囲】
【請求項１】
上部に背柱を連接した前支脚を後方向に斜設し、後支脚を背柱に斜設連接し、左右の前支脚と後支脚間の下端にロッカーを架設するとともに、座板を左右の前支脚間に架設した前貫と左右の後支脚間に架設した後貫に固設したことを特徴とするロッキングチェアー
【考案の詳細な説明】
【技術分野】
【０００１】  本考案は、ロッキングチェアに関するものである。
【背景技術】
【０００２】  人間工学上、机の上でパソコンを利用したり執筆や読書をするときには、座面は３度〜５度前方向に傾斜していることが身体への負担が少なく、また、背凭れに凭れる場合には後方向に３度〜６度傾斜していることが望ましいとされている。【０００３】  また、人の身体は、長時間同じ姿勢を強いられると苦痛を感じ知らず知らずのうちに姿勢を入れ替えながら椅子に座っている。【０００４】  このようなことから、人体工学を具えた椅子脚の開発が望まれていた。【０００５】  そこで、人体工学を具えた椅子脚が開発されている（特許文献１）。【０００６】
【特許文献１】実用新案登録第３１３０２８９号公報
【考案の開示】
【考案が解決しようとする課題】
【０００７】  本考案は、このように人間工学データに基づく最適で、軽量であるにも拘らず強度をもったロッキングチェアを提供すべく開発されたものであって、学童用としても大人用としても利用できるようにしたものである。【０００８】  すなわち、児童でも利用できるようにするためには、できる限り本体の軽量化を図る必要があり、また、前後にロッキングすることから、前後の支脚とロッカーとの連接部分がぐらつきにくいようにしたものである。
【課題を解決するための手段】
【０００９】  上述の問題点を解決するために、本考案は、上部に背柱を連接した前支脚を後方向に斜設し、後支脚を背柱に斜設連接し、左右の前支脚と後支脚間の下端にロッカーを架設するとともに、座板を左右の前支脚間に架設した前貫と左右の後支脚間に架設した後貫に固設したことを特徴とするものである。【００１０】  左右の前支脚間の下方には前貫と一体としている足置きを架設し、左右の前後支脚間の上部には前貫及び後貫を架設し、該前貫、後貫を座板固定桟とし、座板を固定している。【００１１】  また、足置き部を上下動できるようにすることによって幼児から児童まで使用することが出来るようにしたことを特徴とするものである。
【考案の効果】
【００１２】  本考案は、このように前支脚と後支脚とロッカーとにより三角形を形成するようにしているので座板にかかる荷重が前後に分散され支脚にかかる負担が減少することとなり少々椅子を揺動させてもぐらつきが生じることがなく、安定感のあるロッキングチェアを提供することができる。【００１３】  特に、ロッキングチェアでは使用中に体重を前後にかけることが多くなり、前後の支脚に負担がかかり易くなる。その結果、支脚が垂直に立設していると、支脚とロッカーとの結合部が軋み易くなるからである。【００１４】  また、上述のようにチェアの構成部材を極力少なくしているので、軽量となり児童でも容易に持ち運びすることができる。
【考案を実施するための最良の形態】
【００１５】
【実施例】
【００１６】  実施例について図面を参照して説明すると、図１において、１は座板、２は背凭れ、３は足置き部、４は前支脚、５は後支脚、６はロッカー、７は前貫、８は後貫である。【００１７】  前支脚４は、上部に背柱を延設し、後方向に斜設している。後支脚５は、前支脚４の上方に斜設している。
ロッカー６は、左右の前支脚及び後支脚の下端間に架設している。
背凭れ２は、左右の前支脚４間の上部に架設している。
足置き部３は、前貫３１と一体とし、前貫３１を左右の前支脚４間の下方に架設している。
前貫７は、左右の前支脚４間に架設し、後貫８は、左右の後支脚５間に架設している。
座板１は、前貫７と後貫８に固設している。【００１８】  このようにすることによって、前支脚４、後支脚５及びロッカー６とにより三角形状を形成することとなり、座板に座ると前支脚４と後支脚５とに均等に力が分散され、また揺動しても前後支脚が斜設されているため支脚に無理な力がかからないため軋むことがなく安定感のあるものとなる。【００１９】  本体は、座板１と背凭れ２と前支脚４と後支脚５とロッカー６とで構成することによって部材の省力を図ることができるだけでなく、軽量化を図ることもでき児童でも持ち運びができる。
【図面の簡単な説明】
【００２０】
【図１】  本考案の前方向より見た斜視図である。
【図２】  本考案の後方向より見た斜視図である。
【符号の説明】
【００２１】１    座板
２    背凭れ
３    足置き部
４    前支脚
５    後支脚
７    前貫
８    後貫
【図１】
0003145765.tif 000003
【図２】
0003145765.tif 000004
(57)【要約】【課題】上の段に将棋の駒があるにもかかわらず下の段の将棋の駒の位が見える事にして将棋の全体図が分かる。【解決手段】将棋の駒の厚さを厚くし側面の巾の略中芯を１番深くして入斜面にして入溝の斜面の下斜面３、と上面１の文字を同色で同文字とし下面４と上斜面２の文字を同色で同文字とする。上面と下面の文字は色だけでも違うほうが良い。【選択図】図１
0003145769.tif 000002
【実用新案登録請求の範囲】
【請求項１】
将棋の駒の置き台（１０）、（１１）を複数段にしてその上に将棋の駒を厚くして側面の巾の中芯になる様凹ませて斜め上から見ると下段斜面（３）が見える事を特徴とした入溝立体将棋の駒。
【請求項２】
将棋の駒の側面に設ける入溝の斜面を任意の面とした事を特徴とした請求項１記載の入溝立体将棋の駒。
【請求項３】
将棋の駒の上面（１）と下段斜面（３）、（５）と同一の文字で同一の文字の色としそして下面（４）の文字と文字の色を上段斜面（２）、（６）の文字と文字の色を同じとした事を特徴とした請求項１、２記載の入溝立体将棋の駒。
【考案の詳細な説明】
【技術分野】
【０００１】将棋の駒の置き棒を複数列にしてそして複数段にして将棋の駒を上下左右前後斜に動かす事が出る事に関するものである。
【背景技術】
【０００２】実願２００７−２４６４等がある。
【考案の開示】
【考案が解決しようとする課題】
【０００３】上段に将棋の駒があるにもかかわらず下の段の将棋の駒の位が見えそして下の段の将棋の駒を位によって前後左右上、下、斜上、斜下、斜左右、斜後左右、斜上左右斜下左右、斜後上左右、斜後下左右、等の任意に動かす事が出来そしてある段の将棋の駒を何段か上又は下又は何段か斜上又は斜下等何段か任意の所に動かす事が出来る。
【課題を解決するための手段】
【０００４】将棋の駒を厚くして側面巾の中心を深くして将棋の駒の上面の淵と将棋の駒の下面の淵を１番出して側面の巾の中芯にかけて斜面にして将棋の駒の上面１と下斜面３、５に書く文字を同一の文字で同一の文字の色にし下面４と上斜面２、６に書く文字を同一の文字で同色の文字とする。
【考案の効果】
【０００５】将棋の斜め上から見ると下段の将棋のの駒の側面の下斜面の文字が見え下斜面の文字と上面の文字が同色で同一だからその将棋の位が分るので将棋全体的に判断できる。
【考案を実施するための最良の形態】
【０００６】将棋の駒を厚くし側面の中程を１番深くした入溝にし上面１と下斜面３、５を同色の同文字とし、下面４と上斜面２、６の文字を同色で同文字とし上面の文字と下面の文字は少なくても色だけでも違う。上斜面２、６及び下斜面３、５とも平面が良いと思う。
【実施例】
【０００７】上斜面又は下斜面は出曲面又は入曲面又は出曲面と入曲面を任意に組み合せたもの等がある。上面又は下面の平面と斜面の取り合い部の角Ｒは３０度から６０度角位が良い。
【産業上の利用分野】
【０００８】ゲームに利用出来る。
【図面の簡単な説明】
【０００９】
【図１】入溝立体将棋の駒の全体図
【図２】Ａ−Ａ断面図
【符号の説明】
【００１０】将棋の駒の上面        １
上斜面                ２、６
下斜面                ３、５
下面                  ４
将棋の駒の置台        １０、１１
【図１】
0003145769.tif 000003
【図２】
0003145769.tif 000004
(57)【要約】      （修正有）【課題】囲碁を上から見ると１番上の碁石から１番下の碁石まで全部見えそしてどの段階の碁石も上下の段階の碁石に無関で置いたり取り去ったりする事が出来る立体囲碁盤を提供する。【解決手段】囲碁盤１に１目毎に円錐又は角錐の碁石支持１５Ａ，１４，１０，２４を設け、上の碁石の大きさによりその下の段の碁石の中央の穴を大きくする。【選択図】図２
0003145768.tif 000002
【実用新案登録請求の範囲】
【請求項１】
囲碁盤（１）に１目毎に円錐の囲碁支持（１４）を設ける事を特徴とした立体囲碁盤。
【請求項２】
囲碁支持（３５）を角錐とした事を特徴とした請求項１記載の立体囲碁盤。
【請求項３】
囲碁支持の斜面に置面（２１）、（２３）、（６）、（１５）を設け置面とその上の置面の間を斜面とした事を特徴とした請求項１、２記載の立体囲碁盤。
【請求項４】
囲碁支持（１０）、（２４）の上部を平面（２２）、（３０）とした事を特徴とした請求項１、２、３記載の立体囲碁盤。
【考案の詳細な説明】
【技術分野】
【０００１】碁石の囲み方によって同じ数の碁石でも得点が多くなったり少なくなったりして囲碁を立体的に考えさせる事に関するものである。
【背景技術】
【０００２】実願２００７−７７９６等がある。
【考案の開示】
【考案が解決しようとする課題】
【０００３】上の碁石も下の碁石も上から同時に見る事が出来、上の碁石があるにもかかわらずその下の碁石を置いたり取り去ったりする事が出来きる、そして碁石を取り去る時上の碁石にひっかからないように下の碁石の囲碁支持に対する横ゆれの余裕を出来るだけ少なくして取り外しを容易にする。
【課題を解決するための手段】
【０００４】１番上の碁石は中央に穴を設けても良いがそれ以下の碁石は中央に穴を設けて囲碁支持を円錐又は角錐にして碁石の中央の穴を円錐又は角錐の斜面又は角部の斜部に支持させる。上の段の碁石の大きさより下の段の碁石の中央の穴を大きくする。
【考案の効果】
【０００５】上部から見ると１番下の碁石から１番上の碁石まで前部見えそして上に碁石があっても下の段の碁石を置いたり取ったりする事が出来る。
【考案を実施するための最良の形態】
【０００６】囲碁盤に１目毎に円錐の囲碁支持１４を設ける。
【実施例】
【０００７】囲碁支持を角錐とする事もあり角錐は横断面を３角形、又は４角形又は多角形とする事もあり、角錐の斜面又は角部を削って碁石を置く置面とする事もあり又は角錐の対面の斜面又は対面の角部を削って置面とする事もあり角錐の上部を平面にして碁石の置面とする事もある。【０００８】囲碁支持１５Ａ、１０、１４、２４を円錐にし円錐の斜面を横に削って何段かの置面６、１５、２１、２３、を設ける事もあり又円錐の上部に平面を設けて置面２２とする事もある。
【産業上の利用分野】
【０００９】ゲームに利用できる。
【図面の簡単な説明】
【００１０】
【図１】立体囲碁及び立体囲碁盤を上から見た図である。
【図２】Ａ−Ａ断面図
【図３】Ｂ−Ｂ断面図
【図４】Ｃ−Ｃ断面図
【図５】Ｄ−Ｄ断面図
【符号の簡単な説明】
【００１１】囲碁盤        １
下段の碁石    ２、９、１３、４７
中断の碁石    ３、８、１２、４６、
上段の碁石    ４、７、１１、４５、３６
碁石支持上部  ５、
上段置面      ２１、６
中段置面      １５、２３、３１、４０Ａ、４０
上段平面      ２２、３０
碁石支持      １５Ａ、１４、１０、２４
【図１】
0003145768.tif 000003
【図２】
0003145768.tif 000004
【図３】
0003145768.tif 000005
【図４】
0003145768.tif 000006
【図５】
0003145768.tif 000007
(57)【要約】【課題】  光によって誘引されたあらゆる害虫を効果的に捕殺するための集光性害虫捕殺器具を提供する。【解決手段】  中空洞支柱本体に害虫誘引捕殺カーテン本体を備えた害虫誘引半円形鉄枠を設け害虫誘引捕殺カーテン本体に誘引カーテン絞り枠と害虫戻り防止枠を備えるように設け害虫戻り防止枠に外カーテンを備えた害虫水液誘引カーテンを設け、水液溢れ防止孔を備えた水液を入れる把手付き虫受け容器を装着したことを特徴とする集光性害虫捕殺器具である。【選択図】図１
0003145764.tif 000002
【実用新案登録請求の範囲】
【請求項１】
中空洞支柱本体に安定器を設け、安定器の一方にプラグ付きコードその一方に光源ソケットを備えたコードを設け、中空洞支柱本体の上部に複数の支柱支え鉄線を備えた支柱支え鉄枠を設け、害虫誘引捕殺カーテン本体を備えた害虫誘引半円形鉄枠を設け、害虫誘引捕殺カーテン本体に誘引カーテン絞り枠と害虫戻り防止枠を備えるように設け害虫戻り防止枠に外カーテンを備えた害虫水液誘引カーテンを設け、水液溢れ防止孔を備えた水液を入れる把手付き虫受け容器を装着した高床型の集光性害虫捕殺器具。
【請求項２】
筒形補虫器本体に害虫誘引筒形カーテンを設け、害虫誘引筒形カーテンに外カーテンを備えた害虫水液誘引カーテンを設け、水液溢れ防止孔を備えた水液を入れる把手付き虫受け容器を装着した低床型の集光性害虫捕殺器具。
【考案の詳細な説明】
【技術分野】
【０００１】  本考案は、ポールなどに付けた光防虫器具などの光りに誘引して集光した害虫の飛来を軽減する光防虫器具等のついたポールに害虫誘引捕殺カーテンを取り付けて光りに誘引してきた害虫を確実に誘引捕殺するための集光性害虫捕殺に関するものである。
【背景技術】
【０００２】  従来、殺虫剤の効果が低い夜行性害虫に対して、様々な電照ランプの光源に引き寄せられて集まってくる害虫の性癖を利用して、夜間の光に集光させ、害虫の飛来を軽減させる防除による害虫の抑制で効果を発揮していた。
【考案の開示】
【考案が解決しようとする課題】
【０００３】  そのために次のような問題点があった。
（イ）光りを利用した光防虫器は光のバリヤで害虫の進入、吸汁、交尾産卵を抑制するのに効果があるが、捕獲する事が出来ない問題点があった。
（ロ）光りを利用した光防虫器は光で害虫を寄せて害虫の飛来を大幅に軽減させる効果があるが、捕獲する事が出来ない問題点があった。
（ハ）光りを利用し害虫の性癖を誘引して着色光による誘蛾灯などで害虫を誘い込んで殺虫剤で殺虫する問題点があった。
（ニ）害虫に忌避効果がある色光はそれぞれの色の光によって様ざまな害虫を誘引できるが必要な害虫を捕獲できない弱点も有り、捕殺する事が出来ない問題点があった。
（ホ）光りに誘引した害虫を粘着による捕獲方法があるが、粘着面積に限界が有り、害虫の大きさに粘着効果が発揮しないなどの問題点があった。
（ヘ）フェロモン剤を用いて特定の害虫を駆除する方法があるが、性フェロモンは徐々に効果が弱くなっていくなどの問題点があった。
本考案は以上の問題点を解決する為になされたものである。
【課題を解決するための手段】
【０００４】  中空洞支柱本体に害虫誘引捕殺カーテン本体を備えた害虫誘引半円形鉄枠を設け害虫誘引捕殺カーテン本体に誘引カーテン絞り枠と害虫戻り防止枠を備えるように設け害虫戻り防止枠に外カーテンを備えた害虫水液誘引カーテンを設け、水液溢れ防止孔を備えた水液を入れる把手付き虫受け容器を装着した集光性害虫捕殺器具である。
【考案の効果】
【０００５】  光りを利用して光防虫器により集光した害虫は、害虫誘引捕殺カーテン本体に誘引されて落下した害虫は途中で害虫戻り防止枠により、外に戻ることが出来ず害虫水液誘引カーテンまで落下し把手付き虫受け容器に備えた水液に落ち、光によって誘引されたあらゆる害虫を効果的に捕殺することができる。
従って、夜蛾類やカメムシ類や甲虫類、セミ類さらには、梨の天敵ナシヒメシンクイやクサギカメムシ等の各種害虫も光防除により集光する害虫であれば確実に捕殺する事ができ害虫による被害果率は極端に低下しその効果が期待出来る。
【考案を実施するための最良の形態】
【０００６】  以下本考案の実施の形態について説明する。
（イ）中空洞支柱本体（１）に安定器（２）を設け、安定器（２）の一方にプラグ付きコード（４）その一方に光源ソケット（３）を備えたコード（１８）を設ける。
（ロ）中空洞支柱本体（１）の上部に複数の支柱支え鉄線（６）を備えた支柱支え鉄枠（５）を設け、害虫誘引捕殺カーテン本体（８）（８）を備えた害虫誘引半円形鉄枠（７）を設ける。
（ハ）害虫誘引捕殺カーテン本体（８）（８）に誘引カーテン絞り枠（９）と害虫戻り防止枠（１０）（１０）を備えるように設け害虫戻り防止枠（１０）（１０）に外カーテン（１２）（１２）を備えた害虫水液誘引カーテン（１１）（１１）を設ける。
（ニ）水液溢れ防止孔（１４）（１４）を備えた水液（１５）（１５）を入れる把手付き虫受け容器（１３）（１３）を装着する。
本考案は、以上の構造でこれを使用する時は、害虫水液誘引カーテン（１１）（１１）を把手付き虫受け容器（１３）（１３）に備えた水液（１５）（１５）に漬込む位置に備えると光りで集光した害虫は、害虫誘引捕殺カーテン本体（８）（８）に誘引されて落下した害虫は途中で害虫戻り防止枠（１０）（１０）により、外に戻ることが出来ず、害虫水液誘引カーテン（１１）（１１）まで落下し把手付き虫受け容器（１３）（１３）に備えた水液（１５）（１５）に落ち光によって誘引されたあらゆる害虫を効果的に捕殺することが出来る。
【図面の簡単な説明】
【００７】
【図１】  本考案の斜視図
【図２】  本考案の状態を示す部分拡大斜視図
【図３】  本考案の小型化した状態を示す斜視図
【符号の説明】
【００８】１    中空洞支柱本体
２    安定器
３    光源ソケット
４    プラグ付きコード
５    支柱支え鉄枠
６    支柱支え鉄線
７    害虫誘引半円形鉄枠
８    害虫誘引捕殺カーテン本体
９    誘引カーテン絞り枠
１０  害虫戻り防止枠
１１  害虫水液誘引カーテン
１２  外カーテン
１３  把手付き虫受け容器
１４  水液溢れ防止孔
１５  水液
１６  着色光源
１７  光源カバー
１８  コード
１９  害虫誘引筒形カーテン
２０  筒形補虫器本体
【図１】
0003145764.tif 000003
【図２】
0003145764.tif 000004
【図３】
0003145764.tif 000005
(57)【要約】      （修正有）【課題】女性が貼っていて周りの人に見られても恥ずかしくなく、また周りに湿布特有の匂いが香らないよう配慮した湿布とする。【解決手段】湿布を花形にカッティングし、花の模様を印刷し、無香性の湿布に花の香りをつける。これにより、湿布を貼っていることが他人にわかったとしても、恥ずかしくはなく、逆に花型ならかわいい印象を与えられるという安心感がある。また花の香りなら貼っている本人も、リラックスできるし、周りの人にいやな思いをさせることもない。【選択図】図１
0003145767.tif 000002
【実用新案登録請求の範囲】
【請求項１】
花の形にし、花の模様を印刷し、花の香りをつけた湿布
【考案の詳細な説明】
【技術分野】
【０００１】本考案は、花の形にカットし、花の模様を印刷し、花の香りをつけた湿布に関するものである。
【背景技術】
【０００２】従来、湿布は四角で真っ白。湿布特有の匂いがしているものが大半である。
【考案の開示】
【考案が解決しようとする課題】
【０００３】男性や年配の方には受け入れられていたものの、若い女学生や女性たちはいくら筋肉痛や肩こりがあったとしても見た目、匂いへの嫌悪感がありなかなか使用しようという気持ちが起こりにくいという問題点を有していた。
【考案の開示】
【課題を解決するための手段】
【０００４】本考案は、湿布を花の形、花の模様にし、花の香りをつけることにより問題点を解決している。
【考案の効果】
【０００５】湿布を貼っていることが他人にわかったとしても、恥ずかしくはなく、逆に花型ならかわいい印象を与えられるという安心感がある。また花の香りなら貼っている本人も、リラックスできるし、周りの人にいやな思いをさせることもない。
【考案の実施するための最良の形態】
【０００６】湿布を花の形にカッティングし、模様を印刷し、無香性のものに花の香料をつける。
【図面の簡単な説明】
【０００７】
【図１】花の形にカッティングした湿布の例のひとつである。
【図１】
0003145767.tif 000003
(57)【要約】      （修正有）【課題】誤入力の頻度を下げ、ランダムな入力キーサイズに拠る入力の不確実性・困難性の欠陥の解決を図ると同時に目の不自由なかたにも入力対応可能にしたキーボードを提供する。【解決手段】文字入力キーボード位置の指の両端にキーボードサイズが認識出来るようにキー上Ａ・Ｆ・Ｊ・＋にテンキー上０・４・６に起伏を設け入力時絶えずキーサイズが認識できるようにすると共に全文字入力時支点・拠点を失わないよう配慮・確実な入力を図った。即ち誤入力高頻度の欠陥解決図り目の不自由な方にも入力出来・効率良いキーボードにしようとするものである。【選択図】図１
0003145723.tif 000002
【実用新案登録請求の範囲】
【請求項１】
標準キーボードは文字キー上  Ｆ・Ｊにテンキー上５のみに起伏を有し、Ｊ・Ｆ・５を入力した際、指先の拠点がなくなるため誤入力の頻度が高くなる。尚最近機器のダウンサイズの傾向にありキーのサイズまちまちで入力時文字位置認識し難い。
本考案は文字入力キーボード位置の指の両端にキーサイズが絶えず認識出来るようにキー上Ａ・Ｆ・Ｊ・＋にテンキー上０・４・６に起伏を設けると共に全文字入力時支点・拠点失しないようにし確実な入力を図った。即ち誤入力高頻度の欠陥解決図り目の不自由な方にも入力出来・効率良いキーボードにしようとするものである。
【考案の詳細な説明】
【技術の分野】
【０００１】    本考案は標準キーボードに文字入力キー上Ａ・Ｆ・Ｊ・＋にテンキー上０・４・６に起伏を設けキーボードに関するものである。
【背景技術】
【０００２】    標準キーボードは文字キー上  Ｆ・Ｊにテンキー上５のみに起伏を有し、Ｊ・Ｆ・５を入力した際、指先の支点（入力拠点）起伏がなくなるため誤入力の頻度が高くなる。尚最近機器のダウンサイズの傾向にありキーボードサイズまちまちで入力時文字位置認識しがたく上述の傾向が益々大である。目の不自由な方は入力対応困難。
【考案の開示】
【考案が解決しょうとする課題】
【０００３】    標準キーボードは文字キー上  Ｆ・Ｊにテンキー上５のみに起伏を有し、Ｊ・Ｆ・５を入力した際、指先の拠点がなくなるため誤入力の頻度が高くなると共にキーボードも含め機器のダウンサイズの傾向に有りサイズの画一でないため入力キーのサイズが感覚的に把握し難い。本考案は文字入力キーボード位置の指の両端にキーボードサイズの認識出来るようにキー上Ａ・Ｆ・Ｊ・＋にテンキー上０・４・６に起伏を設け入力時絶えずキーサイズが認識できるようにすると共に全文字入力時指先の拠点がなくならないよう即ち誤入力高頻度の欠陥解決図り入力効率良いキーボードにしようとするものである。
【０００４】本考案は標準キーボード上Ａ・Ｆ・Ｊ・＋にテンキー上０・４・６に起伏を設けブラインドタッチ入力に於ける左手の文字入力時Ａを入力したときＦの支点（入力拠点）起伏を・Ｆを入力したときＡ支点（入力拠点）起伏力同様に右手の文字入力・テンキー入力も必ず入力支点即ち全文字入力時支点を有するように配慮・誤入力の頻度下げランダムな入力キーサイズに拠る入力の不確実性・困難性の欠陥の解決を図ると同時に目の不自由なかたにも入力対応可能にしたものである。
【考案の効果】
【０００５】上述のように従来の標準キーボードは文字キー上  Ｆ・Ｊにテンキー上５のみに起伏を有し、Ｊ・Ｆ・５を入力した際、指先の支点がなくなるため誤入力の頻度が高くなると共に機器のダウンサイズ等による入力キー位置の把握し難い欠陥を本考案は文字入力キー上Ａ・Ｆ・Ｊ・＋にテンキー上０・４・６に起伏を設け指の両端のキーのサイズを絶えず認識可能にして入力位置不確実性・困難性の欠陥打開しキーの位置把握を容易にすると共に左手の文字入力時Ａを入力したときＦの支点・Ｆを入力したときのＡ起伏を支点入力。同様に右手入力時・テンキー入力時必ず全文字入力支点を有する事で誤入力の頻度を下げるよう配慮・入力効率を上げると同時に目の不自由なかたにも入力対応可能にしたものである。
【考案の実施するための最良の形態】
【０００６】  文字入力キー上Ａ・Ｆ・Ｊ・＋にテンキー上０・４・６に起伏を設け左手の文字入力時Ａを入力したときＦの支点・Ｆを入力したときのＡ起伏を支点に入力。同様に右の文字入力・テンキー入力も必ず全文字支点・拠点を有する事により問題を解決図りブラインドタッチに於ける両手両端のキーの起伏による入力キーサイズを認識可能にして入力位置不確実性の打開を図り入力効率を上げると共に起伏を有することで同時に目の不自由なかたの入力対応可能を考えたものである。
【実施例】
【０００７】  文字入力実施例本考案の右手配列文字入力時＋の起伏を支点・＋入力時Ｊ起伏を支点に入力。右手入力時全文字支点・拠点を有するように配慮、尚キーサイズも指両端の起伏にて認識し得るように配慮し入力の確実性を図った。尚左手配列文字入力実施例本考案の文字入力キーボードＡ入力時Ｆの起伏を支点・Ｆ入力時Ａ起伏を支点即ち拠点にて入力。左手入力時全文字拠点を有するように配慮、尚キーサイズも指両端の起伏にて認識し得るように配慮し入力の確実性を図った。【０００８】  テンキー入力実施例文字数が少ないため４・６の起伏のみ又は０起伏のみだけでは入力に於いて手の形状と指の動きの頻度を鑑みみると起伏拠点が失われ易いのでテンキー上０・４・６其々の起伏拠点により確実な入力・尚キーサイズも指両端の起伏にて認識し得るように配慮し入力の確実性を図った。
【図面の簡単な説明】
【００９】
【図１】標準キーボードの４段中上段より第三段列キーとき一文字４箇所中左上のみを記載しました。
【図２】本考案のテンキー。文字は標準テンキーボード左上のみを記載。
【符号の説明】
【００１０】本考案キーボード標準キーボード位置に●記号位置に起伏を設けた位置印
【図１】
0003145723.tif 000003
【図２】
0003145723.tif 000004
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
標準キーボードは文字キー上Ｆ・Ｊにテンキー上５のみに起伏を有しＪ・Ｆ・５を入力した際、指先の拠点がなくなるため誤入力の頻度が高くなるうえ最近機器のダウンサイズの傾向でキーのサイズがまちまちで入力時文字位置認識し難いので本考案は文字入力キーボード位置の指の両端にキーサイズが絶えず認識出来るようにキー上Ａ・Ｆ・Ｊ・５にテンキー上０・４６に起伏を設けると共に全文字入力時支点・拠点を矢しないようにし確実な入力を図り誤入力高頻度の欠陥解決図り目の不自由な方にも入力出来入力効率良いことを特徴とするキーボード
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
キーサイズが認識出来るように文字キー上Ａ・Ｆ・Ｊ・＋及びテンキー上０・４・６に起伏を設け・全文字入力時支点・拠点を失しないようにし目の不自由な方にも入力出来・確実な入力を図った効率良いキーボード
(57)【要約】      （修正有）【課題】隔て板本体の側面部分のアルミ部材を脱着可能にする事によって建物（躯体）部分との隙間を最小限に抑えて取り付ける事が出来る集合住宅等のバルコニーに使用する隔て板を提供する。【解決手段】隔て板の基本部材側面部分３の形状並びにそれに取付ける従部材１の形状を嵌合式（オス・メス形状）にする事により、基本部材７に対し異なる何種類かの大きさの従部材４〜６を嵌め込んで使用する事で、その場にて容易に横幅寸法を拡大させたり、縮小させたりが可能となる。【選択図】図１
0003145728.tif 000002
【実用新案登録請求の範囲】
【請求項１】
集合住宅等におけるバルコニーを区分する隔て板であって、当該隔て板の側面部分に脱着可能のアルミ部材を使用する事によって、同一寸法の製品において様々な寸法に容易に変更が出来る隔て板である。
【請求項２】
隔て板の縦枠部分に両面スライドレールを設ける事によって、隔て板本体と躯体を取付ける際にＬ型の金物を使用し取付ける場合にアンカーを打つ高さや方向を容易に変える事が出来る隔て板である。
【考案の詳細な説明】
【技術分野】
【０００１】  本考案は集合住宅等において部屋構造から外側に設けられているバルコニー（又はベランダ）部分の各区画を区分する為に設けられている隔て板に関するものである。
【背景技術】
【０００２】  従来集合住宅等の新築工事の際には、躯体の仕上りを待って各取り付け場所の寸法を測って、おのおのその寸法に合わせて製作していた。
【考案の開示】
【考案が解決しようとする課題】
【０００３】  建物の新築工事現場の躯体が仕上った後に採寸し製作していた為、すべての取り付け場所を採寸していたので、躯体仕上りの精度により数センチ単位の違いが生じ取り付かず、再製作などで経済的負担や時間的負担も大きく、隔て板製作の納期も短く供給が間に合わないなどの問題があったが、基本本体の寸法を規格化し調整部材と併せて量産化する事によって短納期で安定して供給が出来る。
【課題を解決するための手段】
【０００４】  本考案は、隔て板本体の側面部に脱着式のアルミ部材を使用する事によって様々な寸法に対応出来るので取り付け場所の寸法を厳密に測ることなく製作出来る事で、多少の寸法の違いに対しても対応出来る為、再製作の必要も無く、経済的損出も軽減されるものである。及び隔て板本体を量産する事が出来る。
【考案の効果】
【０００５】  簡単に大きさを変えられる構造になっているので、万が一取り付けの際に寸法が合わなくて取り付けが困難な場合でも脱着調整部材をつけ替える事によって安易に寸法を変えられる事によって取り付け可能になるので作業効率の向上及び工期短縮、しいては経済的にも有効となる。
【考案を実施するための最良の形態】
【０００６】  隔て板本体の側面部に脱着式のアルミ部材嵌合式にしてビスなどを使用せずに脱着出来る構造となっている。又両面にスライドレールを設ける事によってアンカーが使用出来にくい場所でも位置を変えて使用する事が出来る。
【実施例】
【０００７】  添付図面に従って実施例を説明する。▲１▼の部分の部材を脱着式にしてあるので、▲４▼・▲５▼・▲６▼の部材と簡単に交換する事が出来る。▲２▼の部分を嵌め込み式にして内部でツメで引っかかる様になっているのでビスなどを使用せずに固定出来る。
【産業上の利用可能性】
【０００８】  本考案は隔て板本体の寸法を変える事が出来るので、万が一サイズが合わないような事があっても側面部分のアルミ部材を変える事によって躯体との隙間を少なくして取り付けする事が出来る。
【図面の簡単な説明】
【０００９】
【図１】本考案の簡単に大きさを変えられる隔て板の断面図である。
【符号の説明】
【００１０】１  脱着可能アルミ部材
２  ハズレ防止ツメ
３  縦枠両面スライドレール
４  ２０ｍｍ用交換部材
５  １５ｍｍ用交換部材
６  １０ｍｍ用交換部材
７  標準用部材
８  隔て板本体
【図１】
0003145728.tif 000003
【手続補正書】
【提出日】平成20年7月24日(2008.7.24)
【手続補正１】
【補正対象書類名】実用新案登録請求の範囲
【補正対象項目名】全文
【補正方法】変更
【補正の内容】
【実用新案登録請求の範囲】
【請求項１】
集合住宅等におけるバルコニーを区分する隔て板であって、当該隔て板の基本部材側面部分の形状並びにそれに取付ける従部材の形状を嵌合式（オス・メス形状）にする事により、基本部材に対し異なる何種類かの大きさの従部材を嵌め込んで使用する事で、その場にて容易に横幅寸法を拡大させたり、縮小させたりが可能となる隔て板。
(57)【要約】      （修正有）【課題】犬等の動物の散歩中に、一時的に側溝等の部分にリードを接続することのできるリード接続具を提供する。【解決手段】犬等動物を散歩させる時に側溝等に取り付けるリード接続具でリード接続部位を持つ半球状の上部本体と側溝等の下部に取り付ける下部本体で構成され、それらを操作ひも及びメインひもで結び下部本体を側溝の穴に入れ側溝に下部本体を固定するよう操作ひもとメインひもを使い固定しメインひもを上部本体に掛け固定し使用する接続具である。【選択図】図１
0003145727.tif 000002
【実用新案登録請求の範囲】
【請求項１】
犬等動物を散歩させる時周囲に立ち木等の動物をつなぐ支持物がない場所で側溝などに取り付け動物をつなぐ為の接続具である。
【考案の詳細な説明】
【技術分野】
【０００１】犬等動物散歩中に一時的に側溝等の部分にリードを接続すする接続具である。
【背景技術】
【０００２】犬等動物散歩中立ち木などの支持材がない場合動物のリードから手を離し安全に排泄物の処理等を行う事が出来なかった。
【考案の開示】
【考案が解決しようとする課題】
【０００３】側溝部分に簡単に取り付け取り外しが出来リードを手放している間も確実に支持出来、又側溝上部の本体が半球状の為突起が少なく安全である。
【課題を解決するための手段】
【０００４】側溝の上面下面を簡単にはさむ支持材で取り付け取り外しが簡単に出来散歩中の一時的にリードを支持接続するものである。
【考案の効果】
【０００５】散歩中の犬等の排泄物等の処理作業中において立ち木等の動物を支持するものがない所での作業はリードが離れる可能性があり、はなれた動物が人・家畜・植木・農作物に危害を加える場合がある。これを防ぎ安全な作業を行う事が可能となる接続具である。
【実施例】
【０００６】側溝の隙間に（００７）図１の▲１▼を縦方向に入れ▲４▼を引くと側溝裏側に半球状の▲１▼が引っ付く、▲４▼の先端部を側溝上部の本体▲６▼のくぼみに引っ掛け固定し▲７▼のリード取り付けフックにリードを取り付ける。取り外しは▲４▼の先端部を▲６▼本体より取り外し、ひきひも▲２▼を引き引き上げる。
使用後は汚れる場合があるので移動用の容器▲８▼に入れる。本体材料は合成樹脂・金属を使い、錆びを防ぐ為ステンレス・アルミなどの防錆材を使う。ひきひもは被覆付きステンレスワイヤー・チエン等を使用する。
【図面の簡単な説明】
【０００７】
【図１】姿図
【符号の説明】
【０００８】▲１▼側溝内に入れる下部本体
▲２▼出し入れの際引くひきひも
▲３▼下部本体にワイヤーを引っ掛けるフック
▲４▼メインひも
▲５▼メインひも上部を▲６▼の溝に入れて固定する固定具
▲６▼側溝上部の本体
▲７▼リード取り付け用フック
▲８▼移動時収納用容器
【図１】
0003145727.tif 000003
【手続補正書】
【提出日】平成20年5月16日(2008.5.16)
【手続補正１】
【補正対象書類名】実用新案登録請求の範囲
【補正対象項目名】全文
【補正方法】変更
【補正の内容】
【実用新案登録請求の範囲】
【請求項１】
犬等動物を散歩させる時に側溝等に取り付けるリード接続具でリード接続部位を持つ半球状の上部本体と側溝等の下部に取り付ける下部本体で構成されそれらを操作ひも及びメインひもで結び下部本体を側溝の穴に入れ側溝裏面に下部本体を固定するよう操作ひもとメインひもを使い固定しメインひもを上部本体に掛け固定し使用する接続具で、散歩中の際立ち木等動物をつなぐ支持物がない場所で側溝等に取り付ける犬等動物散歩中のリード接続具。
【手続補正書】
【提出日】平成20年7月18日(2008.7.18)
【手続補正１】
【補正対象書類名】実用新案登録請求の範囲
【補正対象項目名】全文
【補正方法】変更
【補正の内容】
【実用新案登録請求の範囲】
【請求項１】
犬等動物を散歩させる時に側溝等に取り付けるリード接続具でリード接続部位を持つ半球状の上部本体と側溝等の下部に取り付ける下部本体で構成され、それらを操作ひも及びメインひもで結び下部本体を側溝の穴に入れ側溝に下部本体を固定するよう操作ひもとメインひもを使い固定しメインひもを上部本体に掛け固定し使用する接続具で、散歩中の際立ち木等動物をつなぐ支持物がない場所で側溝等に取り付ける犬等動物散歩中のリード接続具。